(57)【要約】【課題】１のプロジェクターに複数のコンピューターが接続された状態において、全てのコンピューターから、プロジェクターによる投写画面の操作が可能な投写画面制御方法等を提供する。【解決手段】プロジェクターシステム５０の投写画面制御方法であって、任意のコンピューターＰＣが、プロジェクターＰＪから投写される投写画面５１を操作するための操作情報を、プロジェクターＰＪに対して送信する操作情報送信ステップ（Ｓ０２）と、プロジェクターＰＪが、操作情報にしたがって、投写画面５１の画面制御を行う画面制御ステップ（Ｓ０４）と、プロジェクターＰＪが、制御情報を、複数のコンピューターＰＣに対して送信する制御情報送信ステップ（Ｓ０６）と、複数のコンピューターＰＣが、制御情報を表示画面１に反映させる制御情報反映ステップ（Ｓ０９，Ｓ１３）と、を実行する。【選択図】図８
2011215530.tif 000002
【特許請求の範囲】
【請求項１】
複数のコンピューターと、プロジェクターと、がネットワークを介して接続されたプロ
ジェクターシステムの投写画面制御方法であって、
前記複数のコンピューターのうち任意のコンピューターが、前記プロジェクターから投
写される投写画面を操作するための操作情報を、前記プロジェクターに対して送信する操
作情報送信ステップと、
前記プロジェクターが、前記操作情報にしたがって、前記投写画面の画面制御を行う画
面制御ステップと、
前記プロジェクターが、前記画面制御ステップの制御結果を含む制御情報を、前記複数
のコンピューターに対して送信する制御情報送信ステップと、
前記複数のコンピューターが、それぞれの表示画面に、前記制御情報を反映させる制御
情報反映ステップと、を実行することを特徴とする投写画面制御方法。
【請求項２】
前記プロジェクターは、前記投写画面として、前記複数のコンピューターから送信され
た複数の映像画面を１画面に合成した合成投写画面を投写可能であり、
前記操作情報は、前記合成投写画面に含まれる全ての映像画面を操作可能な情報である
ことを特徴とする請求項１に記載の投写画面制御方法。
【請求項３】
前記操作情報は、前記合成投写画面における各映像画面の画面サイズの割合を変更する
ための画面サイズ情報を含むことを特徴とする請求項２に記載の投写画面制御方法。
【請求項４】
前記操作情報は、前記合成投写画面における各映像画面の配置を変更するための画面配
置情報を含むことを特徴とする請求項２に記載の投写画面制御方法。
【請求項５】
前記操作情報は、前記合成投写画面の分割数を示す分割数情報と、前記複数の映像画面
のうち前記合成投写画面に含める分割数分の対象画面を示す対象画面情報と、を含むこと
を特徴とする請求項２に記載の投写画面制御方法。
【請求項６】
前記操作情報は、前記合成投写画面に含まれる複数の映像画面のうち操作対象となる操
作対象画面を示す操作対象画面情報と、当該操作対象画面の表示状態を切り替える表示切
替情報と、を含むことを特徴とする請求項２に記載の投写画面制御方法。
【請求項７】
前記複数のコンピューターのうち任意のコンピューターが、前記複数の映像画面のうち
指定した１以上の映像画面の表示状態の切替制御をロックする制御ロック指令を、前記プ
ロジェクターに対して送信する制御ロック指令送信ステップと、
前記プロジェクターが、前記制御ロック指令に基づいて、ロック対象となる前記１以上
の映像画面を示すロック画面情報を記憶するロック画面情報記憶ステップと、をさらに実
行し、
前記画面制御ステップでは、前記プロジェクターが、前記操作情報に含まれる前記操作
対象画面情報と、記憶した前記ロック画面情報とに基づいて、前記操作対象画面情報に基
づく操作対象画面の表示切替制御が可能であるか否かを判別し、可能であると判別した場
合に、前記表示切替情報に基づく表示切替制御を行うことを特徴とする請求項６に記載の
投写画面制御方法。
【請求項８】
前記制御ロック指令送信ステップでは、自コンピューターが送信した映像画面に対して
のみ、その表示切替制御をロック可能であることを特徴とする請求項７に記載の投写画面
制御方法。
【請求項９】
複数のコンピューターと、プロジェクターと、がネットワークを介して接続されたプロ
ジェクターシステムであって、
各コンピューターは、
表示画面と、
前記プロジェクターから投写される投写画面を操作するための操作情報を、前記プロジ
ェクターに対して送信する操作情報送信手段と、
前記プロジェクターによる前記投写画面の制御結果を含む制御情報を、前記プロジェク
ターから受信する制御情報受信手段と、
前記表示画面に、受信した前記制御情報を反映させる制御情報反映手段と、を備え、
前記プロジェクターは、
前記複数のコンピューターのうち任意のコンピューターから、前記操作情報を受信する
操作情報受信手段と、
受信した前記操作情報にしたがって、前記投写画面の画面制御を行う画面制御手段と、
前記画面制御手段の制御結果を、前記制御情報として前記複数のコンピューターに送信
する制御情報送信手段と、を備えたことを特徴とするプロジェクターシステム。
【請求項１０】
請求項９に記載のプロジェクターシステムに適用されるプロジェクター。
【請求項１１】
コンピューターを、請求項９に記載のプロジェクターシステムにおける前記コンピュー
ターの各手段として機能させるためのプログラム。
【発明の詳細な説明】
【技術分野】
【０００１】
本発明は、複数のコンピューターと、プロジェクターと、がネットワークを介して接続
されたプロジェクターシステムの投写画面制御方法、プロジェクターシステム、プロジェ
クターおよびプログラムに関するものである。
【背景技術】
【０００２】
従来、この種のプロジェクターシステムに適用されるプロジェクターとして、複数台の
コンピューターからネットワークを介して複数の画像データを取得し、当該複数の画像デ
ータに基づく複数の画面を合成した合成投写画面を投写するものが知られている（例えば
特許文献１）。このプロジェクターは、選択した任意の画面の表示サイズを変更したり、
合成投写画面の分割数を変更したりする制御が可能となっている。
【先行技術文献】
【特許文献】
【０００３】
【特許文献１】特開２００４−５４１３４号公報
【発明の概要】
【発明が解決しようとする課題】
【０００４】
しかしながら、このプロジェクターは、画面の表示サイズ変更や分割数変更といった制
御を行う際に、プロジェクター本体に搭載されている操作パネルや、付属の専用コントロ
ーラーを用いるため、プロジェクターをメインで扱っているユーザー以外は投写画面の操
作を行うことができなかった。
また、コンピューター側の操作により、画像データの投写制御を行うことができる技術
も知られているが、あくまでも自コンピューターが送信した画像データに対してのみであ
り、他コンピューターが送信した画像データに対しての操作はできない。
【０００５】
上記の問題点に鑑み、本発明は、１のプロジェクターに複数のコンピューターが接続さ
れた状態において、全てのコンピューターから、プロジェクターによる投写画面の操作が
可能な投写画面制御方法、プロジェクターシステム、プロジェクターおよびプログラムを
提供することを目的とする。
【課題を解決するための手段】
【０００６】
本発明の投写画面制御方法は、複数のコンピューターと、プロジェクターと、がネット
ワークを介して接続されたプロジェクターシステムの投写画面制御方法であって、複数の
コンピューターのうち任意のコンピューターが、プロジェクターから投写される投写画面
を操作するための操作情報を、プロジェクターに対して送信する操作情報送信ステップと
、プロジェクターが、操作情報にしたがって、投写画面の画面制御を行う画面制御ステッ
プと、プロジェクターが、画面制御ステップの制御結果を含む制御情報を、複数のコンピ
ューターに対して送信する制御情報送信ステップと、複数のコンピューターが、それぞれ
の表示画面に、制御情報を反映させる制御情報反映ステップと、を実行することを特徴と
する。
【０００７】
本発明のプロジェクターシステムは、複数のコンピューターと、プロジェクターと、が
ネットワークを介して接続されたプロジェクターシステムであって、各コンピューターは
、表示画面と、プロジェクターから投写される投写画面を操作するための操作情報を、プ
ロジェクターに対して送信する操作情報送信手段と、プロジェクターによる投写画面の制
御結果を含む制御情報を、プロジェクターから受信する制御情報受信手段と、表示画面に
、受信した制御情報を反映させる制御情報反映手段と、を備え、プロジェクターは、複数
のコンピューターのうち任意のコンピューターから、操作情報を受信する操作情報受信手
段と、受信した操作情報にしたがって、投写画面の画面制御を行う画面制御手段と、画面
制御手段の制御結果を、制御情報として複数のコンピューターに送信する制御情報送信手
段と、を備えたことを特徴とする。
【０００８】
これらの構成によれば、各コンピューターが、プロジェクターから投写されている投写
画面を操作することが可能となり、さらに、任意のコンピューターがプロジェクターに対
して行った制御結果を含む制御情報を、接続されている他のコンピューターにも送信する
ことができる。これにより、ネットワークに接続されている全てのコンピューターで、投
写画面の操作を行うことができると共に、全てのコンピューターの表示画面で、任意のコ
ンピューターの操作に基づく投写画面の画面制御結果を確認することができる。また、コ
ンピューターに備えられた操作子（キーボードやマウスなど）を用いて操作ができるため
、プロジェクターの操作パネルやリモコン等を用いて操作を行う場合と比較して、格段に
操作性が向上する。
【０００９】
この場合、プロジェクターは、投写画面として、複数のコンピューターから送信された
複数の映像画面を１画面に合成した合成投写画面を投写可能であり、操作情報は、合成投
写画面に含まれる全ての映像画面を操作可能な情報であることが好ましい。
【００１０】
この構成によれば、プロジェクターに接続されている複数のコンピューターから送信さ
れた複数の映像画面を同時投写することができる。また、プロジェクターから投写されて
いる合成投写画面のうち、自身がプロジェクターに対して送信している映像画面以外の映
像画面についても操作することが可能となる。
【００１１】
この場合、操作情報は、合成投写画面における各映像画面の画面サイズの割合を変更す
るための画面サイズ情報を含むことが好ましい。
【００１２】
この構成によれば、各コンピューターの操作により、合成投写画面における複数の映像
画面の中から任意の映像画面の画面サイズを変更させることができる。
【００１３】
この場合、操作情報は、合成投写画面における各映像画面の配置を変更するための画面
配置情報を含むことが好ましい。
【００１４】
この構成によれば、各コンピューターの操作により、合成投写画面における複数の映像
画面の中から任意の映像画面の配置を変更させることができる。
【００１５】
この場合、操作情報は、合成投写画面の分割数を示す分割数情報と、複数の映像画面の
うち合成投写画面に含める分割数分の対象画面を示す対象画面情報と、を含むことが好ま
しい。
【００１６】
この構成によれば、各コンピューターの操作により、合成投写画面の分割数と、合成投
写画面に含める対象画面を変更させることができる。
【００１７】
この場合、操作情報は、合成投写画面に含まれる複数の映像画面のうち操作対象となる
操作対象画面を示す操作対象画面情報と、当該操作対象画面の表示状態を切り替える表示
切替情報と、を含むことが好ましい。
【００１８】
この構成によれば、各コンピューターの操作により、合成投写画面に含まれる複数の映
像画面のうち操作対象となる操作対象画面を変更したり、その表示状態を制御したりする
ことができる。
なお、操作対象画面は、１の映像画面であっても良いし、複数の映像画面であっても良
い。
また、表示切替情報とは、対象画面の静止（映像画面を表示させたまま停止すること）
、消去（映像画面を消すこと、黒画面にすること）、再開（静止状態や消去状態からの復
帰）などを制御する情報を指す。
【００１９】
この場合、複数のコンピューターのうち任意のコンピューターが、複数の映像画面のう
ち指定した１以上の映像画面の表示状態の切替制御をロックする制御ロック指令を、プロ
ジェクターに対して送信する制御ロック指令送信ステップと、プロジェクターが、制御ロ
ック指令に基づいて、ロック対象となる１以上の映像画面を示すロック画面情報を記憶す
るロック画面情報記憶ステップと、をさらに実行し、画面制御ステップでは、画面制御ス
テップでは、プロジェクターが、操作情報に含まれる操作対象画面情報と、記憶したロッ
ク画面情報とに基づいて、操作対象画面情報に基づく操作対象画面の表示切替制御が可能
であるか否かを判別し、可能であると判別した場合に、表示切替情報に基づく表示切替制
御を行うことが好ましい。
【００２０】
この構成によれば、任意のコンピューターが指定した１以上の映像画面について表示切
替制御を不能とすることができる。これにより、例えばプレゼンテーションの責任者が操
作するコンピューターから、プロジェクターに対して制御ロック指令を送信することで、
他のコンピューターにより意図せず（不本意に）映像画面の制御が行われてしまうことを
防止することができる。
【００２１】
この場合、制御ロック指令送信ステップでは、自コンピューターが送信した映像画面に
対してのみ、その表示切替制御をロック可能であることが好ましい。
【００２２】
この構成によれば、他人が操作するコンピューターから、プロジェクターに対して制御
ロック指令が送信され、自コンピューターから送信した映像画面の制御ができなくなる、
などの問題を解消することができる。
【００２３】
本発明のプロジェクターは、上記のプロジェクターシステムに適用されることを特徴と
する。
【００２４】
本発明のプログラムは、コンピューターを、本発明のプロジェクターシステムにおける
コンピューターの各手段として機能させることを特徴とする。
【００２５】
これらのプロジェクターおよびプログラムを用いることにより、１のプロジェクターに
本発明のプログラムを搭載した複数のコンピューターが接続された状態において、全ての
コンピューターから、プロジェクターによる投写画面の操作が可能なプロジェクターシス
テムを実現することができる。
【図面の簡単な説明】
【００２６】
【図１】本発明の一実施形態に係るプロジェクターシステムのシステム構成図である。
【図２】プロジェクターシステムの制御ブロック図である。
【図３】（ａ）は、ＰＣ操作画面を起動した後のコンピューターの概略図であり、（ｂ）は、ＰＣ操作画面に含まれる操作ボタンを示す図であり、（ｃ）は、２分割表示を行ったときのＰＣ操作画面を示す図である。
【図４】（ａ）は、４分割表示を行ったときのＰＣ操作画面およびＰＪ投写画面を示す図であり、（ｂ）は、４分割表示の任意の画面のサイズ変更を行ったときのＰＣ操作画面およびＰＪ投写画面を示す図である。
【図５】画面レイアウトの一例を示す図である。
【図６】（ａ）は、４分割表示を行ったときのＰＣ操作画面およびＰＪ投写画面を示す図であり、（ｂ）は、４分割表示の任意の画面の配置変更を行ったときのＰＣ操作画面およびＰＪ投写画面を示す図である。
【図７】（ａ）は、２分割表示を行ったときのＰＣ操作画面およびＰＪ投写画面を示す図であり、（ｂ）は、２分割表示中に対象画面選択操作を行ったときのＰＣ操作画面およびＰＪ投写画面を示す図である。
【図８】プロジェクターシステムの投写画面制御処理を示すフローチャートである。
【発明を実施するための形態】
【００２７】
以下、添付の図面を参照し、本発明の一実施形態に係る投写画面制御方法、プロジェク
ターシステム、プロジェクターおよびプログラムについて説明する。図１は、本実施形態
に係るプロジェクターシステム５０のシステム構成を示している。同図に示したように、
プロジェクターシステムは、複数台のコンピューターＰＣ１，・・・，ＰＣｎ（ｎは２以
上の整数）と、スクリーン上に投写画面５１を表示するプロジェクターＰＪとが、ネット
ワークＮＷを介して、通信可能に接続されている。なお、同図では、プロジェクターＰＪ
が１台の場合を示したが、ネットワークＮＷに複数台接続され、複数台のコンピューター
ＰＣから出力された映像画面を、複数台のプロジェクターＰＪによって同時投写する構成
としても良い。
【００２８】
上記の構成により、プロジェクターシステム５０では、複数台のコンピューターＰＣ（
ＰＣ１〜ＰＣｎ）の全てが、プロジェクターから投写される投写画面５１の操作を行い得
るようになっている。また、プロジェクターは、任意のコンピューターＰＣの操作に基づ
いて投写画面５１の制御を行った場合、その制御結果を複数台のコンピューターＰＣの全
てに送信する。これにより、複数台のコンピューターＰＣ（ＰＣ１〜ＰＣｎ）の全てが、
その表示画面１上でプロジェクターの制御結果を確認できる。さらに、プロジェクターは
、複数台のコンピューターＰＣから送信された複数の映像画面を１画面に合成した合成投
写画面を投写可能であり、各コンピューターＰＣは、当該合成投写画面に含まれる全ての
映像画面を操作可能となっている。なお、上記のネットワークＮＷとしては、インターネ
ットやローカルエリアネットワークを採用可能である。また、接続の形態は、無線回線で
も良いし、有線回線でも良い。
【００２９】
図２は、本実施形態に係るプロジェクターシステム５０の制御ブロック図である。コン
ピューターＰＣは、一般的なパーソナルコンピューターを適用可能であり、主な構成とし
て表示画面１、入力部２、ＰＣ制御部３、記憶部４およびＰＣ通信部５を有している。
表示画面１は、プロジェクターＰＪに送信する映像データ（映像画面）を表示すると共
に、後述するＰＣ操作画面２０を表示する。当該ＰＣ操作画面２０は、プロジェクターＰ
Ｊから投写された投写画面に対し、各種操作を行うためのものである。操作内容としては
、画面サイズ変更、配置変更、表示切替制御などを行う。入力部２は、ＰＣ操作画面２０
の立ち上げ（後述する投写画面制御プログラム６の起動）や、ＰＣ操作画面２０の操作を
行うために用いられ、キーボード１２およびマウス１１により実現される。
【００３０】
ＰＣ制御部３は、コンピューターの統括制御を行うものであり、ＣＰＵ（Central  Pro
cessing  Unit）やＭＰＵ（Micro  Processing  Unit）等により実現される。記憶部４は
、プロジェクターＰＪに送信するための映像データ（静止画データまたは動画データ）の
他、ＰＣ制御部３が各種処理を実行するための制御プログラムや制御データを記憶する。
なお、制御プログラムには、投写画面を操作する（プロジェクターに対して制御指令を行
う）ための投写画面制御プログラム６が含まれる。上記のＰＣ操作画面２０は、当該投写
画面制御プログラム６の起動によって表示画面１に表示される。
【００３１】
ＰＣ制御部３は、入力部２によりＰＣ操作画面２０の操作が行われた場合、その操作結
果を示す操作情報をプロジェクターに送信する。これに対し、プロジェクターから投写画
面の制御結果を含む制御情報を受信する。ＰＣ制御部３は、制御情報を受信すると、当該
制御情報をＰＣ操作画面２０に反映させる（制御情報反映ステップ、制御情報反映手段）
。
【００３２】
ＰＣ通信部５は、プロジェクターＰＪとの通信を行うためのものであり、本実施形態で
は、主に操作情報の送信（操作情報送信ステップ、操作情報送信手段）、映像データの送
信および制御情報の受信（制御情報受信手段）のために用いられる。
【００３３】
プロジェクターＰＪは、主な構成として、ＰＪ通信部１０、画像処理部９、ＰＪ制御部
８および投写光学系７を有している。ＰＪ通信部１０は、コンピューターＰＣから操作情
報および映像データを受信する（操作情報受信手段）と共に、コンピューターＰＣに対し
て制御情報を送信する（制御情報送信ステップ、制御情報送信手段）。画像処理部９は、
ＰＪ通信部１０を介して受信した映像データに対し、予め記憶されている画像処理プログ
ラムに基づいて、所定の画像処理を実行する（画面制御ステップ、画面制御手段）。所定
の画像処理としては、合成投写画面を生成するための画像合成処理の他、合成投写画面を
構成する各映像画面のサイズ変更処理および配置変更処理を行う。その他、一般的なプロ
ジェクターと同様に、画面サイズ調整処理、キーストーン歪補正処理、画質調整処理、ガ
ンマ補正処理等を行う。
【００３４】
ＰＪ制御部８は、プロジェクターＰＪの統括制御を行う。また、コンピューターＰＣか
ら受信した操作情報に基づいて、合成投写画面に含める対象画面の変更や、表示切替制御
の対象となる操作対象画面の変更を行う。さらに、操作情報に含まれる表示切替情報に基
づいて、合成投写画面に含まれる各映像画面の静止、消画、再開およびロックなどの制御
を行う。詳細については後述する。投写光学系７は、スクリーンＳＣ上に、投写画面を投
写するものであり、光源部、これを駆動するランプ駆動部、光変調部として機能する液晶
ライトバルブ、これを駆動するライトバルブ駆動部、光合成光学系（ダイクロイックプリ
ズムなど）および投写レンズを含む（いずれも図示省略）。
【００３５】
次に、図３を参照し、コンピューターＰＣの表示画面１に表示されるＰＣ操作画面２０
の画面構成について説明する。ここでは、コンピューターＰＣ１，ＰＣ２，ＰＣ３，ＰＣ
４の４台がネットワークＮＷを介してプロジェクターＰＪに接続されている場合を例示す
る。図３（ａ）に示すように、ＰＣ操作画面２０には、対象画面選択領域２１、表示切替
操作領域２２および画面サイズ・配置変更操作領域２３を有している。
【００３６】
対象画面選択領域２１には、ＰＣ１ないしＰＣ４がそれぞれプロジェクターＰＪに対し
て送信している４つの映像画面に対応した４つの映像画面選択アイコンが含まれる。これ
らの映像画面選択アイコンのうち、いずれか１以上の映像画面選択アイコンを選択状態と
することにより、投写対象または操作対象となる対象画面を選択可能となっている。なお
、各映像画面に対応する対象画面選択領域２１中の画面は、画面別に単に色分けされた領
域となっている。
【００３７】
図３（ｂ）に示すように、表示切替操作領域２２には、複数の操作ボタンが含まれる。
当該複数の操作ボタンは、その役割によって、画面分割メニュー３０と操作メニュー４０
に大別される。画面分割メニュー３０には、１画面ボタン３１、２画面ボタン３２および
４画面ボタン３３が含まれ、選択されたボタンに応じて、合成投写画面の分割数を指定可
能となっている。例えば、合成投写画面を２分割したい場合は、２画面ボタン３２を選択
した後、対象画面選択領域２１からいずれか２つの映像画面選択アイコンを選択すること
により、所望する２つの映像画面を同時投写することができる。なお、操作手順はこれに
限るものではなく、映像画面選択アイコンを選択した後、画面分割メニュー３０の選択を
行っても良い。また、当該操作に基づいて、合成投写画面の分割数を示す分割数情報と、
合成投写画面に含める分割数分の対象画面を示す対象画面情報と、が操作情報として、コ
ンピューターに送信される。
【００３８】
一方、操作メニュー４０には、静止ボタン４１、再開ボタン４２、消画ボタン４３およ
びロックボタン４４が含まれ、対象画面選択領域２１で選択した操作対象画面に対する操
作を選択する。静止ボタン４１は、選択している映像画面を現在の表示状態のまま一時停
止させるためのボタンである。また、消画ボタン４３は、選択している映像画面を消し、
黒画面にする（ブラックアウト）するためのボタンである。これらの静止ボタン４１およ
び消画ボタン４３を用いることで、ある映像画面をプロジェクターＰＪに表示させたまま
、あるいは、プロジェクターＰＪに映像画面を表示させない状態で、合成投写画面に含ま
れる各映像画面の画面操作を行うことができる。
【００３９】
再開ボタン４２は、静止ボタン４１によって静止状態にある映像画面、および消画ボタ
ン４３によって消画状態にある映像画面を、再び最新の映像が表示される状態に戻すため
のボタンである。なお、上記した静止ボタン４１、再開ボタン４２および消画ボタン４３
の操作結果は、操作対象となる操作対象画面を示す操作対象画面情報（対象画面選択領域
２１の選択結果）と共に、当該操作対象画面の表示状態を切り替える表示切替情報（操作
情報の一部）として、プロジェクターＰＪに送信される。
【００４０】
ロックボタン４４は、自コンピューターＰＣから送信された映像画面の表示切替操作を
他のコンピューターＰＣに対して禁止するためのボタンである。このロックボタン４４を
用いることで、他人が操作するコンピューターＰＣから、プロジェクターＰＪに対して制
御ロック指令が送信され、自コンピューターＰＣから送信した映像画面の制御ができなく
なる、などの問題を解消することができる。なお、ロックボタン４４の操作結果は、制御
ロック指令として、プロジェクターＰＪに送信される。
【００４１】
例えば、自コンピューターＰＣから送信している映像画面の表示操作をロックしたい場
合は、ロックボタン４４を押すことで自コンピューターＰＣの映像画面の制御ロック指令
がプロジェクターＰＪに送信される（制御ロック指令送信ステップ）。プロジェクターＰ
Ｊ（ＰＪ制御部７）は、この制御ロック指令を受信すると、不図示の保存メモリーに制御
ロック対象の映像画面を示すロック画面情報を記憶し（ロック画面情報記憶ステップ）、
任意のコンピューターＰＣから当該映像画面の表示切替操作を含む操作情報を受信した場
合は、保存メモリーを参照して操作対象画面の表示切替制御が実行可能か否かを判定し、
その結果実行可能と判定した場合、操作対象画面の表示切替制御を行う。
【００４２】
画面サイズ・配置変更操作領域２３は、ＰＣ１ないしＰＣ４のいずれか１以上が送信し
ている１以上の映像画面のうち、現在プロジェクターＰＪから投写されている映像画面の
画面サイズおよび配置を示している。すなわち、画面サイズ・配置変更操作領域２３に表
示されている各画面領域２４のサイズ（画面サイズ・配置変更操作領域２３に対する各画
面の割合）および配置が、プロジェクターＰＪから投写される合成投写画面内の各映像画
面のサイズ（スクリーンに対する各画面の割合）および配置と対応する。なお、画面サイ
ズ・配置変更操作領域２３は、実際に投写されている合成投写画面の映像をそのまま表示
するものではなく、擬似的にその画面サイズと配置とを示したものである。また、対象画
面選択領域２１と同様に、各映像画面に対応する画面領域２４は、画面別に単に色分けさ
れた領域となっている。なお、各コンピューターＰＣと画面領域２４との対応関係を分か
りやすく示すため、画面サイズ・配置変更操作領域２３の色分けは、対象画面選択領域２
１と対応していることが好ましい。また、画面サイズ・配置変更操作領域２３の画面領域
２４に、識別情報（“ＰＣ１の映像”など）を表記しても良い。
【００４３】
また、画面サイズ・配置変更操作領域２３には、画面分割メニュー３０の各ボタンの操
作結果が反映される。例えば、図３（ｃ）に示すように、画面分割メニュー３０の２画面
ボタン３２が選択された場合、プロジェクターＰＪから投写される合成投写画面の分割パ
ターンの変更に伴って、画面サイズ・配置変更操作領域２３に、画面が２分割された状態
が表示される。また、画面サイズ・配置変更操作領域２３の各画面領域２４は、マウス１
１の操作によって、サイズ変更や配置変更を行うことができる。これらの操作については
後に詳述する。なお、画面サイズ・配置変更操作領域２３における操作結果は、合成投写
画面における各映像画面の画面サイズの割合を変更するための画面サイズ情報、または合
成投写画面における各映像画面の配置を変更するための画面配置情報として、プロジェク
ターＰＪに送信される。
【００４４】
次に、図４ないし図７を参照し、コンピューターのＰＣ操作画面２０による操作と、プ
ロジェクターＰＪからの投写画面の関係について説明する。図４、図６および図７の（ａ
）は、各コンピューターが投写画面制御プログラム６を起動させ、ＰＣ操作画面２０を表
示させている状態を示している。各コンピューターは、投写画面制御プログラム６の起動
直後、プロジェクターＰＪから投写画面に関する画面情報（合成投写画面の分割数、画面
サイズの割合、投写対象となっている対象画面の識別情報、各映像画面の配置および各映
像画面の表示状態など）を受信する。各コンピューターは、受信した当該画面情報に基づ
いて、ＰＣ操作画面２０上に、対象画面選択領域２１および画面サイズ・配置変更操作領
域２３を表示する。なお、図４および図６では、プロジェクターが、ＰＣ１〜ＰＣ４から
送信された４つの映像画面を合成した、４分割パターンの合成投写画面を投写している状
態を示している。また、図７は、ＰＣ１〜ＰＣ４から送信された２つの映像画面を合成し
た、２分割パターンの合成投写画面を投写している状態を示している。
【００４５】
次に、図４（ａ）の状態において、任意のコンピューターにより、画面サイズ・配置変
更操作領域２３に表示されている画面のサイズ変更操作が行われた場合について、図４（
ｂ）を参照して説明する。画面のサイズ変更操作は、画面サイズ・配置変更操作領域２３
に表示されている任意の映像画面の角にマウスポインターを合わせてドラッグすることで
、各映像画面のサイズ変更を行うことができる。例えば、ＰＣ１により画面領域Ｂを広げ
るサイズ変更操作が行われた場合、ＰＣ１の画面サイズ・配置変更操作領域２３は、ドラ
ッグ操作に伴って、破線が表示される。また、ＰＣ１の操作により生成された操作情報（
画面サイズ情報，「画面領域Ｂが１５０％拡大された」などの情報）はプロジェクターに
送信され、合成投写画面は、図４（ｂ）の下段に示す状態となる。すなわち、画面領域Ｂ
に対応する映像画面のサイズが、他の映像画面よりも大きな状態となる。なお、図５に示
すように、合成投写画面の画面レイアウト（配置パターン）は、予め定められており（こ
こでは、４画面が等倍率の時と、任意の画面領域を拡大した時の２パターンのみを示す）
、画面サイズ・配置変更操作領域２３におけるサイズ変更操作に応じて、適当な画面配置
を選択して表示する。すなわち、コンピューターおよびプロジェクターＰＪには、各映像
画面の表示倍率に応じて画面レイアウトを選択する、レイアウト選択テーブルが記憶され
ている。なお、画面サイズ情報としては、画面レイアウトを特定するレイアウト番号を送
信するようにしても良い。
【００４６】
一方、プロジェクターＰＪは、コンピューターから受信した操作情報に従って画面制御
を行い、その制御結果（画面サイズの変更結果）を制御情報としてコンピューターＰＣ１
〜４に送信する。なお、制御情報として、上記の画面情報を送信しても良い。その後、各
コンピューターＰＣが、当該制御情報を、ＰＣ操作画面２０の画面サイズ・配置変更操作
領域２３に反映することで、ＰＣ１〜ＰＣ４に表示されるＰＣ操作画面２０は、図４（ｂ
）の下段に示す状態となる。
【００４７】
続いて、図６（ａ）の状態において、任意のコンピューターＰＣにより、画面サイズ・
配置変更操作領域２３に表示されている画面の配置変更操作が行われた場合について、図
６（ｂ）を参照して説明する。画面の配置変更操作は、画面サイズ・配置変更操作領域２
３に表示されている任意の画面領域上にマウスポインターを合わせてドラッグし、配置を
変更したい画面領域上でドロップすることで、任意の画面領域の配置変更を行うことがで
きる。例えば、画面領域ＡにＰＣ１の映像画面、画面領域ＢにＰＣ２の映像画面が配置さ
れている状態で、ＰＣ１により画面領域Ａと画面領域Ｂの配置を変更する（配置を入れ替
える）操作を行う場合は、ＰＣ１の画面領域Ａにマウスポインターを合わせてドラッグし
た状態でＰＣ２の画面領域Ｂの位置まで移動させてからドロップする。ＰＣ１の操作によ
り生成された操作情報（画面配置情報，「画面領域Ａと画面領域Ｂの配置が入れ替わった
」などの情報）はプロジェクターＰＪに送信され、プロジェクターＰＪからの合成投写画
面は、図６（ｂ）の下段に示す状態となる。すなわち、プロジェクターＰＪは、受信した
操作情報に従って、ＰＣ１とＰＣ２の映像画面の位置を入れ替えた状態とし、当該配置変
更結果を制御情報としてコンピューターＰＣ１〜４に送信する。その後、各コンピュータ
ーＰＣが、当該制御情報を、ＰＣ操作画面２０の画面サイズ・配置変更操作領域２３に反
映することで、ＰＣ１〜４に表示されるＰＣ操作画面２０は、図６（ｂ）の下段に示す状
態となる。
【００４８】
続いて、図７（ａ）の状態において、任意のコンピューターＰＣにより、画面サイズ・
配置変更操作領域２３に表示されている対象画面選択操作が行われた場合について、図７
（ｂ）を参照して説明する。図７（ａ）は、合成投写画面が２分割された状態を例示して
いる。対象画面選択操作は、対象画面選択領域２１に表示されている任意の映像画面上に
マウスポインターを合わせてドラッグし、画面サイズ・配置変更操作領域２３に表示され
ている画面領域のうち、配置したい画面領域上でドロップすることで、任意の画面領域を
対象画面（合成投写画面に含まれる映像画面）として選択することができる。すなわち、
画面サイズ・配置変更操作領域２３に表示されていた画面領域に対応する映像画面と、対
象画面選択領域２１で選択した（マウスでドラッグした）画面領域に対応する映像画面を
入れ替えることができる。例えば、画面領域ＣにＰＣ１の映像画面、画面領域ＤにＰＣ２
の映像画面が配置されている状態で、ＰＣ１により画面領域Ｄに表示させる映像画面をＰ
Ｃ３の映像画面と交換する場合は、対象画面選択領域２１のＰＣ３の画面領域Ｅにマウス
ポインターを合わせてドラッグした状態で、画面サイズ・配置変更操作領域２３の画面領
域Ｄの位置まで移動させてからドロップする。ＰＣ１の操作により生成された操作情報（
対象画面情報および画面配置情報）はプロジェクターＰＪに送信され、プロジェクターＰ
Ｊからの合成投写画面は、図７（ｂ）の下段に示す状態となる。すなわち、ＰＣ２の映像
画面に代えてＰＣ３の映像画面が表示された状態となる。これに対し、プロジェクターＰ
Ｊは、対象画面の入れ替え結果を制御情報としてコンピューターＰＣ１〜４に送信する。
その後、各コンピューターＰＣが、当該制御情報を、ＰＣ操作画面２０の画面サイズ・配
置変更操作領域２３に反映することで、ＰＣ１〜４に表示されるＰＣ操作画面２０は、図
７（ｂ）の下段に示す状態となる。
【００４９】
次に、図８のフローチャートを参照し、プロジェクターシステム５０の投写画面制御処
理について説明する。同図では、操作者ＰＣ、非操作者ＰＣ、プロジェクターの３つ役割
から制御の関係を説明する。ここで、操作者ＰＣは、投写画面制御プログラム６を用いて
プロジェクターの投写画面変更操作を行っているコンピューター、非操作者ＰＣは、プロ
ジェクターに接続されているコンピューターであって、操作者ＰＣ以外のコンピューター
を示している。なお、投写画面変更とは、ＰＣ操作画面２０を用いて行われる各種操作の
ことを指す。
【００５０】
まず、操作者ＰＣが、投写画面制御プログラム６上で、投写画面変更操作を行うと（Ｓ
０１）、操作情報をプロジェクターに送信する（Ｓ０２，操作情報送信ステップ）。操作
情報を受信したプロジェクターＰＪは、操作情報を受信したか否かを判別し（Ｓ０３）、
受信しなかった場合は（Ｓ０３：Ｎｏ）、そのまま処理を終了する。また、操作情報を受
信した場合は（Ｓ０３：Ｙｅｓ）、当該操作情報に従って合成投写画面の画面制御を行う
（Ｓ０４，画面制御ステップ）。その後、正常に画面制御を終了できたか否かを判別し（
Ｓ０５）、正常に画面制御を終了できた場合は（Ｓ０５：Ｙｅｓ）、接続されている全て
のコンピューター（操作者ＰＣおよび非操作者ＰＣ）に、その制御結果を含む制御情報を
送信する（Ｓ０６，制御情報送信ステップ）。また、正常に画面制御を終了できなかった
場合は（Ｓ０５：Ｎｏ）画面制御が実行できなかった旨を示すエラーメッセージを、操作
者ＰＣに送信する（Ｓ０７）。
【００５１】
操作者ＰＣは、プロジェクターから制御情報を受信したか否かを判別し（Ｓ０８）、制
御情報を受信した場合は（Ｓ０８：Ｙｅｓ）操作者ＰＣのＰＣ操作画面２０に制御情報を
反映させる（Ｓ０９，制御情報反映ステップ）。また、制御情報を受信していない場合（
Ｓ０８：Ｎｏ）は、プロジェクターからエラーメッセージを受信したか否かを判別し（Ｓ
１０）、受信した場合は（Ｓ１０：Ｙｅｓ）、ＰＣ操作画面２０にエラーメッセージを表
示する（Ｓ１１）。また、プロジェクターから制御情報もエラーメッセージも受信しなか
った場合（Ｓ１０：Ｎｏ）は、そのまま処理を終了する。
【００５２】
一方、非操作者ＰＣは、プロジェクターから制御情報を受信したか否かを判別し（Ｓ１
２）、受信した場合は（Ｓ１２：Ｙｅｓ）、非操作者ＰＣのＰＣ操作画面２０に制御情報
を反映させる（Ｓ１３，制御情報反映ステップ）。また、制御情報を受信しなかった場合
は（Ｓ１２：Ｎｏ）、処理を終了する。
【００５３】
以上説明したとおり、本実施形態のプロジェクターシステム５０によれば、１のプロジ
ェクターＰＪに複数のコンピューターがネットワークＮＷを介して接続された状態におい
て、各コンピューターＰＣが、プロジェクターＰＪから投写されている投写画面を操作す
ることが可能となる。また、任意のコンピューターＰＣがプロジェクターＰＪに対して行
った操作に基づく制御結果を、接続されている他のコンピューターＰＣにも送信するため
、全てのコンピューター（ＰＣ）で、投写画面の画面制御結果を確認することができる。
さらに、各コンピューターＰＣにＰＣ操作画面２０を表示し、マウスを用いて操作ができ
るため、プロジェクターＰＪの操作知識を有さない者でも直感的に画面操作を行うことが
できる。
【００５４】
また、本実施形態のプロジェクターＰＪは、各コンピューターＰＣから送信された複数
の映像画面を、合成投写画面として表示することができるため、複数の映像画面を同時投
写することができる。また、各コンピューターＰＣからの操作により、合成投写画面に含
まれる複数の映像画面のうち、自身がプロジェクターＰＪに対して送信している映像画面
以外の映像画面に対しても操作を行うことができる。
【００５５】
なお、上記の実施形態では、プロジェクターＰＪからの投写画面のサイズ変更を行なう
際に、画面サイズ・配置変更操作領域２３に対してマウス操作を行ったが、数値入力によ
りサイズ変更を行うようにしても良い。例えば、プロジェクターＰＪから投写されている
各映像画面のサイズ情報(画面サイズの割合)をＰＣ操作画面２０上に表示させ、キーボー
ド１２から数値を入力することにより、サイズ割合を、１：２などのように変更する方法
でも良い。また、画面サイズ情報を、数値の代わりに、大・中・小などのように相対的な
大きさで指定しても良い。
【００５６】
また、ＰＣ操作画面２０の表示切替操作領域２２に、合成投写画面のレイアウトを選択
するメニュー（レイアウト選択テーブル）を表示させ、操作者が自由に合成投写画面のレ
イアウトを変更可能としても良い。
【００５７】
また、上記の実施形態では、映像画面を送信しているコンピューターＰＣが、プロジェ
クターＰＪの操作を行う場合を例示したが、必ずしも映像画面を送信する必要はない。す
なわち、投写画面制御プログラム６がインストールされ、且つプロジェクターＰＪと接続
されているコンピューターＰＣであれば、映像画面の送信の有無に拘らず、投写画面５１
の操作が可能である。
【００５８】
また、上記の実施形態では、コンピューターＰＣにより、合成投写画面に含まれる各映
像画面の操作を行う場合を例示したが、１の映像画面を投写する通常の画面投写を行う場
合にも、本発明を適用可能である。
【００５９】
なお、本実施形態では、自コンピューターＰＣが送信した映像画面にしか制御ロック指
令を行うことができなかったが、自コンピューターＰＣが送信した映像画面以外の映像画
面に対しても、制御ロック指令を実施可能としても良い。例えば、ロック対象となるロッ
ク対象画面を対象画面選択領域２１で選択した後、表示切替操作領域２２のロックボタン
４４を選択することで、ロック対象画面の制御ロック指令をプロジェクターＰＪに送信し
ても良い。これにより、プレゼンテーション等において、発表者以外のコンピューターＰ
Ｃが合成投写画面の制御を行うことで不都合が生じることを防止できる。
【００６０】
また、上記の実施形態に示したプロジェクターＰＪの各構成要素をプログラムとして提
供することが可能である。また、そのプログラムを各種記録媒体（ＣＤ−ＲＯＭ、フラッ
シュメモリ等）に格納して提供することも可能である。すなわち、コンピューターＰＣを
、プロジェクターＰＪの各構成要素として機能させるためのプログラム、およびそれを記
録した記録媒体も、本発明の権利範囲に含まれるものである。
【００６１】
また、上記の実施形態では、液晶表示方式のプロジェクターを示したが、ＣＲＴ表示方
式やライトスイッチ表示方式（マイクロミラーデバイス方式）など、他の表示原理のプロ
ジェクターＰＪにも適用可能である。その他、本発明の要旨を逸脱しない範囲で、適宜変
更が可能である。
【符号の説明】
【００６２】
１：表示画面、  ２：入力部、  ３：ＰＣ制御部、  ４：記憶部、  ５：ＰＣ通信部、
６：投写画面制御プログラム、  ７：投写光学系、  ８：ＰＪ制御部、  ９：画像処理
部、  １０：ＰＪ通信部、  １１：マウス、  １２：キーボード、  ２０：ＰＣ操作画面
、  ２１：対象画面選択領域、  ２２：表示切替操作領域、  ２３：画面サイズ・配置変
更操作領域、  ２４：画面領域、  ５０：プロジェクターシステム、  ５１：投写画面、
ＮＷ：ネットワーク、  ＰＣ：コンピューター、  ＰＪ：プロジェクター、  ＳＣ：ス
クリーン
【図１】
2011215530.tif 000003
【図２】
2011215530.tif 000004
【図３】
2011215530.tif 000005
【図４】
2011215530.tif 000006
【図５】
2011215530.tif 000007
【図６】
2011215530.tif 000008
【図７】
2011215530.tif 000009
【図８】
2011215530.tif 000010